(57)【要約】【課題】組み付けが容易で、製作コストを安くできる安全手摺を提供する。【解決手段】Ｈ型建枠４を使用して多段状に組み立てられる枠組足場に取り付ける安全手摺であって、水平杆７と、水平杆７の下方に配置される一対の斜杆８，９とからなり、両斜杆８，９は、夫々の上端部が水平杆７の両端部７ａ，７ｂ側に夫々ロックピン挿通孔１０の手前側で枢着されて、水平杆７に対し折り畳み可能とされ、水平杆７の両端部７ａ，７ｂにあるロックピン挿通孔１０，１０を、対向する両Ｈ型建枠４，４の両脚柱１，１に設けられた上部側のロックピンに挿通してロックし、両斜杆８，９をＸ状に交差させて、両斜杆８，９の夫々下端部８ｂ，９ｂのロックピン挿通孔１１，１１を、前記脚柱１，１の下部側のロックピンに挿通させてロックするようにした。【選択図】図１
2006112151.tif 000002
【特許請求の範囲】
【請求項１】
両側一対の脚柱と両脚柱の夫々中間部どうしをつなぐ横架材とからなるＨ型建枠を対向させて両Ｈ型建枠の横架材間に足場板を架け渡しながら多段状に組み立てられる枠組足場に取り付ける安全手摺であって、両端部にロックピン挿通孔を有する水平杆と、夫々下端部にロックピン挿通孔を有し、水平杆の下方に配置される一対の斜杆とからなり、両斜杆は、夫々の上端部が水平杆の両端部側に夫々ロックピン挿通孔の手前側で枢着されて、水平杆に対して折り畳み可能とされ、しかして水平杆の両端部にあるロックピン挿通孔を、対向する両Ｈ型建枠の両脚柱に設けられた上部側のロックピンに挿通してロックし、両斜杆をＸ状に交差させて、両斜杆の夫々下端部のロックピン挿通孔を、前記両脚柱の下部側のロックピンに挿通してロックするようにした安全手摺。
【請求項２】
水平杆の両端部にはロックピンの夫々手前側に下向きに突出する取付片が固着され、各取付片に各斜杆の上端部が枢着されている請求項１に記載の安全手摺。
【発明の詳細な説明】
【技術分野】
【０００１】
本発明は、両側一対の脚柱と両脚柱の夫々中間部どうしをつなぐ横架材とからなるＨ型建枠を対向させて両Ｈ型建枠の横架材間に足場板を架け渡しながら枠組足場を多段状に組み立てる際に、既設の下段側足場から、新設する上段側足場の先行仮設手摺として取り付ける安全手摺に関する。
【背景技術】
【０００２】
Ｈ型建枠を使用して枠組足場を組み立てる場合のＨ型建枠４は、図６の(a) に示すように、両側一対の脚柱１，１と、両脚柱１，１の夫々中間部どうしをつなぐ横架材２と、補強材３と、から構成される。このようなＨ型建枠４に取り付ける従来の安全手摺として、特許公報等の公知文献を具体的に挙げることはできないが、従来より使用されている安全手摺を図６の(b) に示す。この安全手摺は、水平材２１と、夫々両端部２２ａ，２２ｂ、２３ａ，２３ｂにロックピン挿通孔を形成した一対の斜材２２，２３とからなるもので、両斜材２２，２３をＸ状に交差させて、その交差部をピン２４で枢着し、水平材２１の一端部を一方の斜材２２の一端部に枢着し、水平材２１の他端部にリング２５を取り付け、このリング２５を、斜材２３の端部２３ａと枢着部２４との間でスライド可能に斜材２３に通し入れることによって、両斜材２２，２３を水平材２１と平行に折り畳みできるようにしている。尚、リング２５は、斜材２３の端部２３ａから離脱しないように設けてあって、このリング２５が図示位置にある時に安全手摺Ｔは使用状態にあり、このリング２５が図示位置から斜材２３に沿って枢着部２４の方へスライドすることによって、水平杆材２１と両斜材２２，２３が互いに平行に折り畳まれることになる。
【０００３】
この安全手摺の使用に際しては、図６の(b) に示すような状態で、両斜材２２，２３の夫々の一端部２２ａ，２３ａにあるロックピン挿通孔を、対向する両Ｈ型建枠の脚柱に設けられた上部側のロックピンに挿通させてロックし、両斜材２２，２３の夫々他端部２２ｂ，２３ｂにあるロックピン挿通孔を、両Ｈ型建枠の脚柱に設けられた下部側のロックピンに挿通してロックするようになっている。
【発明の開示】
【発明が解決しようとする課題】
【０００４】
上記のような従来の安全手摺によれば、折り畳み操作が簡単で、持ち運びに便利ではあるが、リング２５に取り付けに非常な手間がかかり、手摺の製作コストが高くつく、という問題があった。そこで、本発明は、組み付けが容易で、製作コストを安くできる安全手摺を提供することを目的とする。
【課題を解決するための手段】
【０００５】
上記課題を解決するための手段を、後述する実施形態の参照符号を付して説明すると、請求項１に係る発明は、両側一対の脚柱１，１と両脚柱１，１の夫々中間部どうしをつなぐ横架材２とからなるＨ型建枠４を対向させて両Ｈ型建枠４，４の横架材２，２間に足場板６を架け渡しながら多段状に組み立てられる枠組足場に取り付ける安全手摺であって、両端部にロックピン挿通孔１０，１０を有する水平杆７と、夫々下端部にロックピン挿通孔１１，１１を有し、水平杆７の下方に配置される一対の斜杆８，９とからなり、両斜杆８，９は、夫々の上端部が水平杆７の両端部７ａ，７ｂ側に夫々ロックピン挿通孔１０の手前側で枢着されて、水平杆７に対して折り畳み可能とされ、しかして水平杆７の両端部７ａ，７ｂにあるロックピン挿通孔１０，１０を、対向する両Ｈ型建枠４，４の両脚柱１，１に設けられた上部側のロックピン１２，１２に挿通してロックし、両斜杆８，９をＸ状に交差させて、両斜杆８，９の夫々下端部８ｂ，９ｂのロックピン挿通孔１１，１１を、前記脚柱１，１の下部側のロックピン１２，１２に挿通させてロックするようにしたことを特徴とする。
【０００６】
請求項２は、請求項１に記載の安全手摺において、水平杆７の両端部７ａ，７ｂにはロックピン挿通孔１０の夫々手前側に下向きに突出する取付片１４が固着され、各取付片１４に各斜杆８，９の上端部８ａ，９ａが枢着されていることを特徴とする。
【発明の効果】
【０００７】
上記解決手段による発明の効果を、後述する実施形態の参照符号を付して説明すると、
請求項１に係る発明の安全手摺は、両端部にロックピン挿通孔１０，１０を有する水平杆７と、夫々下端部にロックピン挿通孔１１，１１を有する一対の斜杆８，９とからなるもので、水平杆７と両斜杆８，９とを組付けるには、両斜杆８，９の夫々上端部８ａ，９ａを水平杆７の両端部７ａ，７ｂ側に夫々ロックピン挿通孔１０の手前側で枢着すればよいから、組付け作業が非常に簡単容易となって、製作コストの低廉化を図ることができる。またＨ型建枠４に取り付けるには、水平杆７の両端部７ａ，７ｂのロックピン挿通孔１０，１０を、対向する両Ｈ型建枠４，４の脚柱１，１の上部側のロックピン１２，１２に挿通した後、両斜杆８，９をＸ状に交差させて、両斜杆８，９の下端部８ｂ，９ｂのロックピン挿通孔１１，１１を、脚柱１，１の下部側のロックピン１２，１２に挿通すればよいから、取付けが簡単となる。
【０００８】
請求項２に係る発明の安全手摺によれば、水平杆７の両端部７ａ，７ｂにはロックピン挿通孔１０の夫々手前側に下向きに突出する取付片１４を固着し、各取付片１４に各斜杆８，９の上端部８ａ，９ａを枢着することによって、水平杆７と一対の斜杆８，９とを互いに平行に折り畳むことが可能となる。
【発明を実施するための最良の形態】
【０００９】
以下に本発明の好適な実施形態を図面に基づいて説明すると、図１の(a) は本発明に係る安全手摺Ｔの使用状態を示す正面図、(b) は同安全手摺Ｔの折り畳み状態を示す正面図であり、図２の(a) は図１の矢印イで示す部分の拡大正面図、(b) は図１の矢印ロで示す部分の拡大正面図、(c) は(a) の平面図、(d) は(b) の平面図である。また図３の(a) 及び(b) は同安全手摺Ｔの使用方法を説明する説明図である。
【００１０】
この安全手摺Ｔは、図１の(a) に示すように、両端部にロックピン挿通孔１０，１０を有する水平杆７と、夫々下端部にロックピン挿通孔１１，１１を有し、水平杆７の下方に配置される一対の斜杆８，９と、からなるもので、両斜杆８，９は、夫々の上端部８ａ，９ａが水平杆７の両端部７ａ，７ｂ側に夫々ロックピン挿通孔１０の手前側で枢着されて、図１の(b) に示すように水平杆７に対して折り畳みできるようになっており、しかして水平杆７の両端部７ａ，７ｂにあるロックピン挿通孔１０，１０を、対向する両Ｈ型建枠４，４の両脚柱１，１に設けられた上部側のロックピン１２，１２に挿通してロックし、図１の(a) に示すように両斜杆８，９をＸ状に交差させて、両斜杆８，９の夫々下端部８ｂ，９ｂのロックピン挿通孔１１，１１を、両足場用建枠４，４の対向する両脚柱１，１に設けられた下部側のロックピン１２，１２に挿通してロックするようになっている。
【００１１】
上記安全手摺Ｔの構造につき更に詳しく説明すれば、図２の(a) 〜(d) に示すように、水平杆７及び両斜杆８，９は、何れも丸鋼管によって形成されたもので、水平杆７を製作するには、丸鋼管を所定長さにカットしたものの両端部を夫々プレス加工により扁平状に圧潰して扁平端部７ａ，７ｂを形成し、これらの扁平端部７ａ，７ｂにロックピン挿通孔１０，１０を穿設すればよく、また斜杆８，９の製作もほとんと同様であって、丸鋼管を所定長さにカットしたものの両端部を夫々プレス加工によって扁平状に圧潰して扁平端部８ａ，９ａ、８ｂ，９ｂを形成し、斜杆８，９の上端側扁平端部８ａ，９ａには夫々リベット孔１３を穿設し、下端側扁平端部８ｂ，９ｂにはロックピン挿通孔１１，１１を穿設すればよい。
【００１２】
水平杆７と両斜杆８，９とを組み付けるに際しては、図２の(a) 〜(d) に示すように、水平杆７の一端側扁平端部７ａにはロックピン挿通孔１０の手前側に下向きに突出する取付片１４を溶接によって固着し、また水平杆７の他端側扁平端部７ｂにはロックピン挿通孔１０の手前側に下向きに突出する取付片１４を溶接によって固着し、これら取付片１４，１４には夫々リベット孔１５を穿設しておき、しかして図２の(a) に示すように水平杆７の一端側扁平端部７ａ側に突設した取付片１４の一面側に斜杆８の上端側扁平端部８ａを重ね合わせて、リベット孔１３，１５にリベット１６を通してリベット結合することにより、水平杆７の一端部７ａ側の取付片１４に斜杆８の上端部８ａを枢着し、また、図２の(b) に示すように水平杆７の他端側扁平端部７ｂ側に突設した取付片１４の他面側に斜杆９の上端側扁平端部９ａを重ね合わせて、リベット孔１３，１５にリベット１６を通してリベット結合することにより、水平杆７の他端部７ｂ側の取付片１４に斜杆９の上端部９ａを枢着する。こうすることによって、水平杆７と一対の斜杆８，９とを図１の(b) に示すように互いに平行にコンパクトに折り畳むことができる。
【００１３】
Ｈ型建枠４は、周知構造のもので、図６の(a) に示すように、両側一対の脚柱１，１と、両脚柱１，１の夫々中間部どうしをつなぐ横架材２と、補強材３と、から構成される。各Ｈ型建枠４の各脚柱１にはその外側面の上部所定位置と下部所定位置とに、図２の(c)
，(d) に示すような、一般的にはグラビティロックと呼ばれているロックピン１２が突設されていて、このロックピン１２には、常時外周面から突出するようにバネ（図示せず）によって付勢されたロック爪１２ａが取り付けら、このロック爪１２ａは、水平杆７及び斜杆８，９のロックピン挿通孔１０，１１が挿通する時はバネに抗して引っ込み、挿通後はバネにより復帰して水平杆７及び斜杆８，９の端部７ａ，７ｂ，８ｂ，９ｂをロックする。また、Ｈ型建枠４の脚柱１には上端部に連結ピン１ａが同心状に突設され、この連結ピン１ａは、Ｈ型建枠４の建て込み（継ぎ足し）時に上段側Ｈ型建枠４の脚柱１の下端部１ｂに嵌合されるようになっている。
【００１４】
上記のように構成される安全手摺Ｔの使用にあたっては、図３の(a) に示すように、先ず、水平杆７の両端部７ａ，７ｂのロックピン挿通孔１０，１０を、対向する両Ｈ型建枠４，４の脚柱１，１に設けられた上部側のロックピン１２，１２に挿通してロックした後、両斜杆８，９を夫々上端部側の枢着部１６，１６を中心に回転してＸ状に交差させ、同図の(b) に示すように両斜杆８，９の夫々下端部８ｂ，９ｂのロックピン挿通孔１１，１１を、脚柱１，１の下部側に設けられたロックピン１２，１２に挿通してロックすればよい。
【００１５】
図４及び図５は、枠組足場を多段状に組み立てる際に、既設の下段側足場から、新設する上段側足場の先行仮設手摺として本発明に係る安全手摺Ｔを取り付ける状態を示したものである。
【００１６】
枠組足場の組立にあたっては、先ず図４の(a) に示すように、枠組足場の設置される床面上に２枚の敷板２６，２６を平行に敷設し、これら敷板２６，２６上に、支柱２９の下端部にジャッキベース２７を備えた矩形枠状の調節枠２８を一定間隔おきに建て込み、対向する調節枠２８間には本発明に係る安全手摺Ｔ（設置高さの低めのもの）を設置する。この場合、調節枠２８の支柱２９がＨ型建枠４の脚柱１に相当し、この支柱２９の上下所要部には安全手摺Ｔを取り付けるロックピン１２が突設されている。安全手摺Ｔを設置した後、レベル調整し、対向する調節枠２８，２８間に足場板６を架け渡す。各調節枠２８の支柱２９の上端部には、Ｈ型建枠４を建て込む際に上段側脚柱１の下端部１ｂに嵌合する連結ピン２９ａが突設されている。
【００１７】
上記のように１段目足場を組み立てた後、図４の(b) に示すように、作業者が１段目足場の足場板６の上で、各調節枠２８にその支柱２９の連結ピン２９ａを介してＨ型建枠４を建て込む。全ての調節枠２８にＨ型建枠４を建て込んだならば、図４の(c) に示すように、互いに対向するＨ型建枠４，４の対向する脚柱１，１に安全手摺Ｔ（調節枠２８の場合よりも高さの高いもの）を取り付ける。
【００１８】
こうしてＨ型建枠４，４の互いに対向する脚柱１，１に安全手摺Ｔを取り付けた後、図５の(a) に示すように、作業者は１段目足場の足場板６上でＨ型建枠４，４の互いに対向する横架材２，２間に２段目足場の足場板６を架け渡し、そして階段３０を取り付ける。この後、作業者は、階段３０から２段目足場の足場板６の上に上がって、図５の(b) に示すように、既設のＨ型建枠４にその脚柱１の連結ピン１ａを介して次のＨ型建枠４を建て込む。以降は、上記の作業を繰り返し行って、枠組足場を多段状に組み立てる。
【００１９】
以上説明したように、本発明に係る安全手摺Ｔは、両端部７ａ，７ｂにロックピン挿通孔１０，１０を有する水平杆７と、夫々下端部８ａ，８ｂ、９ａ，９ｂにロックピン挿通孔１１，１１を有する一対の斜杆８，９とからなるもので、水平杆７と両斜杆８，９とを組付けるには、両斜杆８，９の夫々上端部８ａ，９ａを水平杆７の両端部７ａ，７ｂ側に夫々ロックピン挿通孔１０の手前側で枢着すればよいから、組付け作業が非常に簡単容易となって、製作コストの低廉化を図ることができる。またＨ型建枠４に取り付けるには、水平杆７の両端部７ａ，７ｂのロックピン挿通孔１０，１０を、対向する両Ｈ型建枠４，４の脚柱１，１の上部側のロックピン１２，１２に挿通した後、両斜杆８，９をＸ状に交差させて、両斜杆８，９の下端部８ｂ，９ｂのロックピン挿通孔１１，１１を、脚柱１，１の下部側のロックピン１２，１２に挿通すればよいから、取付けが簡単となる。
【００２０】
また、この安全手摺Ｔの製作にあたって、水平杆７を製作するには、丸鋼管を所定長さにカットしたものの両端部を夫々扁平状に圧潰して扁平端部７ａ，７ｂを形成し、これら扁平端部７ａ，７ｂにロックピン挿通孔１０，１０を穿設すればよく、また斜杆８，９の製作もほとんと同様で、丸鋼管を所定長さにカットしたものの両端部を夫々プレス加工により扁平状に圧潰して扁平端部８ａ，９ａ、８ｂ，９ｂを形成し、斜杆８，９の上端側扁平端部８ａ，９ａには夫々ピン孔１３を穿設し、下端側扁平端部８ｂ，９ｂにはロックピン挿通孔１１，１１を穿設し、しかして両斜杆８，９の夫々上端側扁平端部８ａ，９ａを水平杆７の両端部７ａ，７ｂ側に夫々ロックピン挿通孔１０の手前側で枢着するだけでよいから製作が簡単となる。
【００２１】
この場合、水平杆７の両端部７ａ，７ｂにはロックピン挿通孔１０の夫々手前側に下向きに突出する取付片１４を固着し、各取付片１４に各斜杆８，９の上端部８ａ，９ａを枢着することによって、水平杆７と一対の斜杆８，９とを互いに平行に折り畳むことが可能となる。
【図面の簡単な説明】
【００２２】
【図１】(a) は本発明に係る安全手摺の使用状態を示す正面図、(b) は同安全手摺の折り畳み状態を示す正面図である。
【図２】(a) は図１の矢印イで示す部分の拡大正面図、(b) は図１の矢印ロで示す部分の拡大正面図、(c) は(a) の平面図、(d) は(b) の平面図である。
【図３】(a) 及び(b) は同安全手摺の使用方法を説明する説明図である。
【図４】(a) 〜(c) は枠組足場を多段状に組み立てる組立作業方法を示す説明図である。
【図５】(a) 及び(b) は同じく枠組足場の組立作業方法を示す説明図である。
【図６】(a) はＨ型建枠４を示す正面図であり、(b) は従来の安全手摺を示す正面図である。
【符号の説明】
【００２３】
Ｔ            安全手摺
１            Ｈ型建枠の脚柱
２            Ｈ型建枠の横架材
４            Ｈ型建枠
６            足場板
７            安全手摺の水平杆
８，９        安全手摺の斜杆
１０，１１    ロックピン挿通孔
１２          脚柱に設けたロックピン
１４          取付片
【図１】
2006112151.tif 000003
【図２】
2006112151.tif 000004
【図３】
2006112151.tif 000005
【図４】
2006112151.tif 000006
【図５】
2006112151.tif 000007
【図６】
2006112151.tif 000008